(57)【要約】【課題】消費電力を低減した昇降圧形の点灯回路および照明装置を提供することを目的とする。【解決手段】高電位入力端子と、低電位入力端子と、高電位出力端子と、低電位出力端子と、第１および第２のスイッチング素子と、第１および第２の整流素子と、インダクタと、制御回路と、を備える。前記第１のスイッチング素子の一端は、前記高電位入力端子に接続される。前記第１の整流素子は、前記第１のスイッチング素子の他端と前記低電位入力端子との間に接続される。前記インダクタの一端は、前記第１のスイッチング素子の他端に接続される。前記第２のスイッチング素子は、前記インダクタの他端と前記低電位入力端子との間に接続される。前記第２の整流素子は、前記インダクタの他端と前記高電位出力端子との間に接続される。前記制御回路は、前記第１および第２のスイッチング素子をオンまたはオフに切替える。【選択図】図１
2014096228.tif 000002
【特許請求の範囲】
【請求項１】
外部電源の一端に接続する高電位入力端子と、
前記外部電源の他端に接続する低電位入力端子と、
照明負荷の一端に接続する高電位出力端子と、
前記照明負荷の他端に接続する低電位出力端子と、
一端が前記高電位入力端子に接続された第１のスイッチング素子と、
前記第１のスイッチング素子の他端と前記低電位入力端子との間に、前記低電位入力端子から前記第１のスイッチング素子の方向を順方向として接続された第１の整流素子と、
一端が前記第１のスイッチング素子の他端に接続されたインダクタと、
前記インダクタの他端と前記低電位入力端子との間に接続された第２のスイッチング素子と、
前記インダクタの他端と前記高電位出力端子との間に、前記インダクタから前記高電位出力端子の方向を順方向として接続された第２の整流素子と、
前記第１のスイッチング素子をオンからオフに切替える前における少なくとも第１の時間では、前記第２のスイッチング素子をオフさせる制御回路と、
を備えた点灯回路。
【請求項２】
前記制御回路は、前記第１のスイッチング素子をオンさせた後に前記第２のスイッチング素子をオンさせる請求項１記載の点灯回路。
【請求項３】
前記制御回路は、前記高電位出力端子を流れる出力電流および前記高電位出力端子の出力電圧の少なくともいずれかが所定値になるように制御するＰＷＭ回路を有する請求項１または２に記載の点灯回路。
【請求項４】
前記制御回路は、
前記ＰＷＭ回路に接続され、前記第１のスイッチング素子をオフさせる時間を遅延させる第１の遅延回路と、
前記ＰＷＭ回路に接続され、前記第２のスイッチング素子をオンさせる時間を遅延させる第２の遅延回路と、
を有する請求項３記載の点灯回路。
【請求項５】
請求項１〜４のいずれか１つに記載の点灯回路と、
前記点灯回路から電力を供給されて点灯する照明負荷と、
を備えた照明装置。
【発明の詳細な説明】
【技術分野】
【０００１】
本発明の実施形態は、点灯回路および照明装置に関する。
【背景技術】
【０００２】
ＤＣ−ＤＣコンバータなどのスイッチング電源は、高効率で省電力化・小型化に適した電源であり、例えば照明装置における点灯回路として用いられる。このようなスイッチング電源において、例えば昇圧と降圧とが可能な昇降圧形の構成は、入力電圧と出力電圧とが近接している場合にも用いることができる。
近年、照明装置において、照明光源は白熱電球や蛍光灯から省エネルギー・長寿命の光源、例えば発光ダイオード（Light-emitting diode：ＬＥＤ）への置き換えが進んでいる。また、例えば、ＥＬ（Electro-Luminescence）や有機発光ダイオード（Organic light-emitting diode：ＯＬＥＤ）など新たな照明光源も開発されている。そのため、照明光源を点灯させる点灯回路にも、さらなる高効率化が求められている。
【先行技術文献】
【特許文献】
【０００３】
【特許文献１】特開２００４−３１２９０９号公報
【発明の概要】
【発明が解決しようとする課題】
【０００４】
本発明の実施形態は、消費電力を低減した点灯回路および照明装置を提供することを目的とする。
【課題を解決するための手段】
【０００５】
実施形態の点灯回路は、高電位入力端子と、低電位入力端子と、高電位出力端子と、低電位出力端子と、第１および第２のスイッチング素子と、第１および第２の整流素子と、インダクタと、制御回路と、を備える。前記第１のスイッチング素子の一端は、前記高電位入力端子に接続される。前記第１の整流素子は、前記第１のスイッチング素子の他端と前記低電位入力端子との間に、前記低電位入力端子から前記第１のスイッチング素子の方向を順方向として接続される。前記インダクタの一端は、前記第１のスイッチング素子の他端に接続される。前記第２のスイッチング素子は、前記インダクタの他端と前記低電位入力端子との間に接続される。前記第２の整流素子は、前記インダクタの他端と前記高電位出力端子との間に、前記インダクタから前記高電位出力端子の方向を順方向として接続される。前記制御回路は、前記第１のスイッチング素子をオンからオフに切替える前における少なくとも第１の時間では、前記第２のスイッチング素子をオフさせる。
【発明の効果】
【０００６】
本発明の実施形態によれば、消費電力を低減した点灯回路および照明装置が提供される。
【図面の簡単な説明】
【０００７】
【図１】第１の実施形態に係る点灯回路を含む照明装置を例示する回路図である。
【図２】制御回路の主要な信号を例示する波形図である。
【図３】第２の実施形態に係る点灯回路を含む照明装置を例示する回路図である。
【図４】第３の実施形態に係る点灯回路を含む照明装置を例示する回路図である。
【発明を実施するための形態】
【０００８】
以下、実施形態について図面を参照して詳細に説明する。なお、本願明細書と各図において、既出の図に関して前述したものと同様の要素には同一の符号を付して詳細な説明は適宜省略する。
【０００９】
（第１の実施形態）
図１は、第１の実施形態に係る点灯回路を含む照明装置を例示する回路図である。
第１の実施形態の照明装置１は、照明負荷２と、照明負荷２に電力を供給する点灯回路３と、を備えている。
【００１０】
照明負荷２は、例えばＬＥＤなどの照明光源４を有し、点灯回路３から電力（出力電圧ＶＦ、出力電流ＩＦ）を供給されて点灯する。
【００１１】
点灯回路３は、電源７から供給される電力を変換して照明負荷２に出力する。点灯回路３は、第１のスイッチング素子８、第１の整流素子９、インダクタ１０、第２のスイッチング素子１１、第２の整流素子１２、コンデンサ１３、および制御回路１４を有する。点灯回路３は、例えばこれらの一部を、半導体基板上に形成して１チップ化またはマルチチップ化した構造を有することができる。
【００１２】
点灯回路３は、一対の入力端子である高電位入力端子５と低電位入力端子６との間に入力される直流電圧ＶＩＮを変換して、一対の出力端子である高電位出力端子１５と低電位出力端子１６と間に出力電圧ＶＦおよび出力電流ＩＦを出力する。なお、電源７は、直流電圧を供給できればよく、例えばバッテリであり、例えば交流電源を直流電圧に変換した直流電源である。
【００１３】
第１のスイッチング素子８は、例えば電界効果トランジスタ（ＦＥＴ）であり、第１の主電極、第２の主電極および制御端子を有する。第１のスイッチング素子８の一端（第１の主電極）は、点灯回路３の高電位入力端子５に接続される。第１のスイッチング素子８の他端（第２の主電極）は、第１の整流素子９およびインダクタ１０に接続される。
【００１４】
第１の整流素子９は、例えばダイオードであり、カソードおよびアノードを有する。第１の整流素子９のカソードは、第１のスイッチング素子８の他端およびインダクタ１０に接続され、第１の整流素子９のアノードは、点灯回路３の低電位入力端子６に接続される。第１の整流素子９は、低電位入力端子６から第１のスイッチング素子８の方向を順方向として接続されている。
【００１５】
インダクタ１０の一端は、第１のスイッチング素子８の他端に接続され、インダクタ１０の他端は、第２のスイッチング素子１１および第２の整流素子１２に接続される。
【００１６】
第２のスイッチング素子１１は、例えばＦＥＴであり、第１の主電極、第２の主電極および制御端子を有する。第２のスイッチング素子１１の一端（第２の主電極）は、インダクタ１０の他端に接続され、第２のスイッチング素子１１の他端（第１の主電極）は、点灯回路３の低電位入力端子６に接続される。
【００１７】
第２の整流素子１２は、例えばダイオードであり、アノードとカソードとを有する。第２の整流素子１２のアノードは、インダクタ１０の他端および第２のスイッチング素子１１の一端に接続され、第２の整流素子１２のカソードは、点灯回路３の高電位出力端子１５およびコンデンサ１３に接続される。第２の整流素子１２は、インダクタ１０から高電位出力端子１５の方向を順方向として接続されている。
コンデンサ１３は、点灯回路３の高電位出力端子１５と低電位出力端子１６との間に接続される。
【００１８】
制御回路１４は、ＰＷＭ回路１７と、遅延回路（第１の遅延回路）１８と、遅延回路（第２の遅延回路）１９と、を有する。制御回路１４は、第１のスイッチング素子８および第２のスイッチング素子１１をオンまたはオフに切替えて、例えば出力電圧ＶＦおよび出力電流ＩＦの少なくともいずれかを所定値に制御する。また、制御回路１４は、第１のスイッチング素子８をオンさせた後で、第１のスイッチング素子８をオンからオフに切替える前における少なくとも時間（第１の時間）Ｔｄ１では、第２のスイッチング素子１１をオフさせる。
【００１９】
図２は、制御回路の主要な信号を例示する波形図であり、（ａ）はＰＷＭ信号、（ｂ）は制御信号（第１の制御信号）Ｓ１、（ｃ）は制御信号（第２の制御信号）Ｓ２である。
ＰＷＭ回路１７は、第１のスイッチング素子８および第２のスイッチング素子１１をオンまたはオフに切替えるＰＷＭ（パルス幅制御）信号を生成する（図２（ａ））。ＰＷＭ回路１７は、例えば出力電圧ＶＦおよび出力電流ＩＦの少なくともいずれかを検出して、第１のスイッチング素子８および第２のスイッチング素子１１の少なくともいずれかのデューティ比（オン期間の一周期Ｔｓに対する比）を制御する。
【００２０】
遅延回路１８は、ＰＷＭ回路１７が生成したＰＷＭ信号の立ち下がりを、時間（第１の時間）Ｔｄ１だけ遅延させた制御信号Ｓ１を生成する回路である（図２（ｂ））。遅延回路１９は、ＰＷＭ回路１７が生成したＰＷＭ信号の立ち上がりを、時間（第２の時間）Ｔｄ２だけ遅延させた制御信号Ｓ２を生成する回路である（図２（ｃ））。
【００２１】
制御回路１４は、第１のスイッチング素子８をオンさせた後で、第１のスイッチング素子８をオンからオフに切替える時間よりも時間Ｔｄ１前に第２のスイッチング素子１１をオフさせる。また、制御回路１４は、第１のスイッチング素子８をオンさせてから時間Ｔｄ２経過後に第２のスイッチング素子１１をオンさせる。
【００２２】
第１のスイッチング素子８がオンしている時間Ｔｏｎ１は、ＰＷＭ信号のハイレベルの期間に対して時間Ｔｄ１だけ長くなる。また、第２のスイッチング素子１１がオンしている時間Ｔｏｎ２は、ＰＷＭ信号のハイレベルの期間に対して時間Ｔｄ２だけ短くなる。なお、時間Ｔｄ１は、時間Ｔｄ２よりも短く設定することができる。
【００２３】
次に、点灯回路３を含む照明装置１の動作について説明する。
電源投入時、時間ｔ＝０で、制御回路１４が、制御信号Ｓ１をローレベルからハイレベルに変化させると、第１のスイッチング素子８はオンする。このとき、電源７、第１のスイッチング素子８、インダクタ１０、第２の整流素子１２の経路で電流が流れ、コンデンサ１３が充電される。
【００２４】
また、入力される直流電圧ＶＩＮと、コンデンサ１３に充電された出力電圧ＶＦとの電圧差に応じて、インダクタ１０に流れる電流は、増加、一定、または減少する。例えば、直流電圧ＶＩＮが出力電圧ＶＦよりも大きい場合は、電源７から電力が供給されて、増加する電流が、インダクタ１０に流れる。直流電圧ＶＩＮが出力電圧ＶＦと等しい場合は、インダクタ１０に蓄積されたエネルギーにより、一定の電流が、インダクタ１０に流れる。また、直流電圧ＶＩＮが出力電圧ＶＦよりも小さい場合は、インダクタ１０に蓄積されたエネルギーにより、減少する電流が、インダクタ１０に流れる。
【００２５】
時間ｔ＝Ｔｄ２で、制御回路１４が、制御信号Ｓ２をローレベルからハイレベルに変化させると、第２のスイッチング素子１１はオンする。このとき、電源７、第１のスイッチング素子８、インダクタ１０、第２のスイッチング素子１１の経路で電流が流れる。インダクタ１０の電流は増加し、インダクタ１０にエネルギーが蓄積される。
【００２６】
時間ｔ＝Ｔｄ２＋Ｔｏｎ２で、制御回路１４が、制御信号Ｓ２をハイレベルからローレベルに変化させると、第２のスイッチング素子１１はオフする。このとき、第１のスイッチング素子８はオンのままであり、電源７、第１のスイッチング素子８、インダクタ１０、第２の整流素子１２の経路で電流が流れ、コンデンサ１３が充電される。コンデンサ１３に充電された電圧は、出力電圧ＶＦとして、高電位出力端子１５と低電位出力端子１６とに出力される。
【００２７】
またこの場合も、入力される直流電圧ＶＩＮと、コンデンサ１３に充電された出力電圧ＶＦとの電圧差に応じて、インダクタ１０に流れる電流は、増加、または一定、または減少する。例えば、直流電圧ＶＩＮが出力電圧ＶＦよりも大きい場合は、電源７から電力が供給されて、増加する電流が、インダクタ１０に流れる。直流電圧ＶＩＮが出力電圧ＶＦと等しい場合は、インダクタ１０に蓄積されたエネルギーにより、一定の電流が、インダクタ１０に流れる。また、直流電圧ＶＩＮが出力電圧ＶＦよりも小さい場合は、インダクタ１０に蓄積されたエネルギーにより、減少する電流が、インダクタ１０に流れる。
【００２８】
時間ｔ＝Ｔｏｎ１で、制御回路１４が、制御信号Ｓ１をハイレベルからローレベルに変化させると、第１のスイッチング素子８はオフする。このとき、インダクタ１０に蓄積されたエネルギーにより、第１の整流素子９、インダクタ１０、第２の整流素子１２の経路で電流が流れ、コンデンサ１３が充電される。
【００２９】
時間ｔ＝Ｔｓで、次の周期になり、制御回路１４が、制御信号Ｓ１をローレベルからハイレベルに変化させると、第１のスイッチング素子８はオンして、上記の動作を繰り返す。コンデンサ１３は充電され、コンデンサ１３の電圧、すなわち出力電圧ＶＦが上昇していく。出力電圧ＶＦが、照明負荷２の順方向電圧以上になると、照明負荷２が点灯する。
【００３０】
定常状態において、制御回路１４が、制御信号Ｓ１をローレベルからハイレベルに変化させ、第１のスイッチング素子８がオンしてから、時間Ｔｄ２が経過するまでは、制御回路１４は、制御信号Ｓ２としてローレベルを出力している。第２のスイッチング素子１１はオフである。このとき、電源７、第１のスイッチング素子８、インダクタ１０、第２の整流素子１２を介して、コンデンサ１３および照明負荷２に電流が流れる。
【００３１】
上記のとおり、入力される直流電圧ＶＩＮと、コンデンサ１３に充電された出力電圧ＶＦとの電圧差に応じて、インダクタ１０に流れる電流は、増加、または一定、または減少する。
【００３２】
次に、時間Ｔｄ２が経過して、制御回路１４が、制御信号Ｓ２をローレベルからハイレベルに変化させると、第２のスイッチング素子１１がオンする。電源７、第１のスイッチング素子８、インダクタ１０、第２のスイッチング素子１１の経路で電流が流れる、インダクタ１０にエネルギーが蓄積される。
【００３３】
さらに、時間Ｔｏｎ２経過後に、制御回路１４が、制御信号Ｓ２をハイレベルからローレベルに変化させると、第２のスイッチング素子１１はオフする。電源７、第１のスイッチング素子８、インダクタ１０、第２の整流素子１２を介して、コンデンサ１３および照明負荷２に電流が流れる。
【００３４】
上記のとおり、このとき、入力される直流電圧ＶＩＮと、コンデンサ１３に充電された出力電圧ＶＦとの電圧差に応じて、インダクタ１０に流れる電流は、増加、または一定、または減少する。
【００３５】
さらに、時間Ｔｄ１経過後に、制御回路１４が、制御信号Ｓ１をハイレベルからローレベルに変化させると、第１のスイッチング素子８はオフする。インダクタ１０に蓄積されたエネルギーにより、第１の整流素子９、インダクタ１０、第２の整流素子１２を介して、コンデンサ１３および照明負荷２に電流が流れる。
【００３６】
一周期Ｔｓが経過して、制御回路１４が、制御信号Ｓ１をローレベルからハイレベルに変化させると、第１のスイッチング素子８がオンし、次サイクル以降、上記の動作を繰り返す。
【００３７】
遅延時間Ｔｄ１と遅延時間Ｔｄ２とを合成した時間Ｔｄ１＋Ｔｄ２の周期Ｔｓに対する比（Ｔｄ１＋Ｔｄ２）／ＴｓをＤｄ、第１のスイッチング素子８のデューティ比をＤｏｎ＝Ｔｏｎ１／Ｔｓとすると、出力電圧ＶＦと入力される直流電圧ＶＩＮとの比ＶＦ／ＶＩＮは、（１）式のようになる。
【００３８】
ＶＦ／ＶＩＮ  ＝  Ｄｏｎ／（１−Ｄｏｎ＋Ｄｄ）  …（１）
【００３９】
例えば、遅延回路１８を設けないで、制御信号Ｓ１、Ｓ２が同時にハイレベルからローレベルに変化させた場合、制御信号Ｓ１、Ｓ２のスキュー（タイミングずれ）や第１のスイッチング素子８と第２のスイッチング素子１１とのしきい値電圧のばらつきなどにより、第１のスイッチング素子８がオフで第２のスイッチング素子１１がオンとなる期間が発生する可能性がある。このとき、第１の整流素子９、インダクタ１０、第２のスイッチング素子１１の経路を電流が流れることにより、第１の整流素子９および第２のスイッチング素子１１による損失が発生する。
【００４０】
これに対して、本実施形態においては、制御回路１４が、制御信号Ｓ１をハイレベルからローレベルに変化させる時間よりも時間Ｔｄ１だけ前に、制御信号Ｓ２をハイレベルからローレベルに変化させる。その結果、制御信号Ｓ１がオフし制御信号Ｓ２がオンしている期間が生じることがなく、第１の整流素子９、インダクタ１０および第２のスイッチング素子１１の経路を電流が流れることにより発生する損失が抑制される。
【００４１】
なお、時間Ｔｄ１は、上記の第１の整流素子９、インダクタ１０および第２のスイッチング素子１１の経路を電流が流れることを抑制できればよく、時間Ｔｄ２よりも短く設定することができる。
【００４２】
また、制御回路１４は、第１のスイッチング素子８をオンさせた後で、第１のスイッチング素子８をオンからオフに切替える前における少なくとも時間Ｔｄ１では、第２のスイッチング素子１１をオフさせる。
したがって、図２に表したように、制御回路１４は、第１のスイッチング素子８をオンさせてから時間Ｔｄ２経過後に、第２のスイッチング素子１１を時間Ｔｏｎ２だけオンさせることができる。例えば、制御回路１４は、第１のスイッチング素子８がオンの時間Ｔｏｎ１、および遅延時間Ｔｄ１、Ｔｄ２が、（２）式の関係を満たすように設定される。
【００４３】
Ｔｏｎ１＞Ｔｄ１＋Ｔｄ２＞０、Ｔｄ２、Ｔｄ１＞０  …（２）
【００４４】
また、制御回路１４は、ローレベルの制御信号Ｓ２を生成して、全周期の間、第２のスイッチング素子１１をオフさせておくこともできる。制御回路１４は、第１のスイッチング素子８がオンの時間Ｔｏｎ１、および遅延時間Ｔｄ２が、例えば、Ｔｏｎ１＜Ｔｄ２の関係を満たすように設定する。このとき、点灯回路は、降圧形として動作する。
【００４５】
（第２の実施形態）
図３は、第２の実施形態に係る点灯回路を含む照明装置を例示する回路図である。
本実施形態の照明装置１ａは、第１の実施形態の照明装置と比較して、点灯回路３の構成が異なり、点灯回路３の替わりに点灯回路３ａを備えている。照明装置１ａにおける点灯回路３ａ以外の構成は、照明装置１の構成と同様である。
【００４６】
点灯回路３ａは、第１の実施形態における点灯回路３と比較して、制御回路１４の構成が異なり、制御回路１４の替わりに制御回路１４ａを有している。点灯回路３ａにおける制御回路１４ａ以外の構成は、点灯回路３の構成と同様である。
【００４７】
制御回路１４ａは、ＰＷＭ回路１７と遅延回路１８、１９とを有する制御回路１４に、検出抵抗２０と、増幅回路２１、２２と、基準電圧源２３とが追加されている。
検出抵抗２０は、低電位入力端子６と低電位出力端子１６との間に接続され、点灯回路３ａの出力電流ＩＦを、出力電流ＩＦに比例する電圧として検出する。
【００４８】
増幅回路２１は、検出抵抗２０に接続され、検出抵抗２０により検出された出力電流ＩＦに比例する電圧を増幅する。
増幅回路２２は、検出した出力電流ＩＦと、基準電圧源２３により生成された基準電圧と、を比較して増幅する誤差増幅回路である。
【００４９】
なお、増幅回路２１、２２は、例えばそれぞれ演算増幅回路と抵抗などにより構成することができる。また、増幅回路２１、２２は、検出した出力電流ＩＦを基準電圧と比較して誤差を増幅できれば他の構成とすることもできる。
【００５０】
本実施形態においては、制御回路１４ａが出力電流ＩＦを検出して所定値に制御するため、第１の実施形態の効果の他に、出力電流ＩＦを所定値に安定化することができる。
また、出力電圧ＶＦは、入力される直流電圧ＶＩＮの近傍で降圧することができ、また昇圧することもできる。
【００５１】
（第３の実施形態）
図４は、第３の実施形態に係る点灯回路を含む照明装置を例示する回路図である。
本実施形態の照明装置１ｂは、第１の実施形態の照明装置１と比較して、点灯回路３に直流電源回路２４が追加された点灯回路３ｂを備えている点が異なる。照明装置１ｂの直流電源回路２４以外の構成は、照明装置１の構成と同様である。
【００５２】
点灯回路３ｂは、点灯回路３と直流電源回路２４とを有する。点灯回路３は、第１の実施形態における点灯回路３と同様であり、高電位入力端子５と低電位入力端子６との間に直流電圧ＶＩＮを入力されて、高電位出力端子１５と低電位出力端子１６との間に出力電圧ＶＦ、出力電流ＩＦを出力する。
【００５３】
直流電源回路２４は、整流回路２８とコンデンサ２９とを有する。直流電源回路２４は、一対の入力端子２５、２６を介して、交流電源２７から入力される交流電圧を直流電圧に変換して、高電位入力端子５と低電位入力端子６とに直流電圧ＶＩＮとして出力する。交流電源２７は、例えば商用電源である。
【００５４】
整流回路２８は、例えばダイオードブリッジで構成された全波整流回路であり、交流電圧を整流する。コンデンサ２９は、整流回路２８で整流された電圧を平滑化する。
なお、直流電源回路２４が、整流回路２８とコンデンサ２９とを有する構成を例示したが、入力された交流電圧を直流電圧に変換できれば他の構成とすることもできる。
【００５５】
本実施形態においても、制御回路１４が、第１のスイッチング素子８をオンさせた後で、第１のスイッチング素子８をオンからオフに切替える前における時間Ｔｄ１では、第２のスイッチング素子１１をオフさせるため、第１の実施形態と同様の効果を得ることができる。
【００５６】
以上、具体例を参照しつつ実施形態について説明したが、それらに限定されるものではなく、種々の変形が可能である。
例えば、照明光源４は、ＬＥＤまたはＯＬＥＤなどでもよく、また照明光源４は、複数個のＬＥＤが直列又は並列に接続されていてもよい。
また、第１のスイッチング素子８および第２のスイッチング素子１１は、ＢＪＴ、ＩＧＢＴでもよい。
【００５７】
また、制御回路１４は、ＰＷＭ信号の立ち上がりを時間Ｔｄ２だけ遅延させた制御信号Ｓ２と、ＰＷＭ信号の立ち上がりおよび立ち下がりを時間Ｔｄ１（Ｔｄ１＜Ｔｄ２）だけ遅延させた制御信号Ｓ１を生成する構成とすることもできる。この場合は、第１のスイッチング素子８がオンしている時間Ｔｏｎ１は、ＰＷＭ信号のハイレベルの期間と等しく、第２のスイッチング素子１１がオンしている時間Ｔｏｎ２は、ＰＷＭ信号のハイレベルの期間に対して時間Ｔｄ１＋Ｔｄ２だけ短くなる。
【００５８】
また、点灯回路３ａにおいては、制御回路１４ａが出力電流ＩＦを所定値に制御する構成を例示したが、出力電圧ＶＦを所定値に制御する構成とすることもできる。また、出力電流ＩＦを所定値に制御する構成と、出力電圧ＶＦを所定値に制御する構成と、を組合せた構成とすることもできる。
【００５９】
また、点灯回路３ｂにおいては、直流電源回路２４と点灯回路３とを有する構成を例示したが、直流電源回路２４と点灯回路３ａとを有する構成とすることもできる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１、１ａ、１ｂ…照明装置、  ２…照明負荷、  ３、３ａ、３ｂ…点灯回路、  ４…照明光源、  ５…高電位入力端子、  ６…低電位入力端子、  ７…電源、  ８…第１のスイッチング素子、  ９…第１の整流素子、  １０…インダクタ、  １１…第２のスイッチング素子、  １２…第２の整流素子、  １３、２９…コンデンサ、  １４、１４ａ…制御回路、  １５…高電位出力端子、  １６…低電位出力端子、  １７…ＰＷＭ回路、  １８…第１の遅延回路、  １９…第２の遅延回路、  ２０…検出抵抗、  ２１、２２…増幅回路、  ２３…基準電圧源、  ２４…直流電源回路、  ２５、２６…入力端子、  ２７…交流電源、  ２８…整流回路
【図１】
2014096228.tif 000003
【図２】
2014096228.tif 000004
【図３】
2014096228.tif 000005
【図４】
2014096228.tif 000006